(57)【要約】【課題】画面に表示されているデータのコピーや移動などをより簡便に行うことができるようにする。【解決手段】  ユーザは、ペン１２で端末装置１１のタッチパネル式ディスプレイ２２上のコピーを所望するデータを指示しながらスイッチ３１を押下する。ペン１２は、電波による近接通信により、指示したデータの記憶命令を端末装置１１に送信し、指示したデータを識別するデータ識別情報を受信する。次に、ユーザは、ペースト先となるタッチパネル式ディスプレイ２２上の位置にペン１２を接触させ、押下したスイッチ３１を元に戻すと、ペン１２は、データ識別情報によるデータの読出し命令を端末装置１１に送信する。端末装置１１は、ペースト先に指示されたデータを表示させる。本発明は、例えば、タッチパネルとペンを入力手段とする情報処理装置に適用できる。【選択図】図１
2010191993.tif 000002
【特許請求の範囲】
【請求項１】
データを表示できる表示部と、
データを記憶できる記憶部と、
他の情報処理装置と通信できる通信部と、
前記記憶部と前記通信部とを制御できる制御部とを備え、
前記制御部は、
前記通信部を介して前記他の情報処理装置から前記表示部に表示されているデータのうち指示されたデータの記憶命令を受信した場合に該指示されたデータを前記記憶部に記憶し、
前記通信部を介して前記記憶部に記憶されている該指示されたデータを識別するデータ識別情報を前記他の情報処理装置に送信し、
前記通信部を介して前記他の情報処理装置から該データ識別情報による該指示されたデータの読み出し命令を受信した場合に前記記憶部から該指示されたデータを読み出すよう制御する
情報処理装置。
【請求項２】
前記他の情報処理装置により指示された前記表示部上の位置を検出する検出部をさらに備え、
前記制御部は、前記記憶部から読み出した前記指示されたデータを、前記検出部が検出した位置に表示するよう制御する
請求項１に記載の情報処理装置。
【請求項３】
前記通信部は、電波を用いた第１の通信方式に対応しており、
前記制御部は、前記他の情報処理装置から前記記憶命令を受信する前に、該第１の通信方式により前記他の情報処理装置と相互認証を行う
請求項１又は２に記載の情報処理装置。
【請求項４】
前記通信部は、第１の情報処理装置としての前記他の情報処理装置との間で通信できる電波を用いた第１の通信方式と、第２の情報処理装置との間で通信できる該第１の通信方式とは異なる第２の通信方式とに対応しており、
前記制御部は、
前記第１の情報処理装置から前記記憶命令を受信する前に前記第１の情報処理装置と前記第１の通信方式により相互認証を行い、
前記第１の通信方式により、前記第１の情報処理装置に前記データ識別情報を送信し、
前記第２の通信方式により、前記第２の情報処理装置に前記記憶部から読み出した前記指示されたデータを送信するよう制御する
請求項１に記載の情報処理装置。
【請求項５】
前記制御部は、前記データ識別情報による前記指示されたデータの読み出し命令を、前記第２の通信方式により前記第２の情報処理装置から受信した場合に、前記記憶部から読み出した前記指示されたデータを前記第２の情報処理装置へ送信するよう制御する
請求項４に記載の情報処理装置。
【請求項６】
データを記憶できる記憶部と、
他の情報処理装置と通信できる通信部と、
前記記憶部と前記通信部とを制御できる制御部とを備え、
前記制御部は、
前記通信部を介して前記他の情報処理装置の表示部に表示されているデータのうち指示したデータの記憶を指示する記憶命令を送信し、
前記通信部を介して前記他の情報処理装置の記憶部に記憶されている該指示したデータを識別するデータ識別情報を受信した場合に該データ識別情報を前記記憶部に記憶するよう制御する
情報処理装置。
【請求項７】
前記制御部は、前記他の情報処理装置の表示部上の所望の位置に前記指示したデータを表示させるために、前記他の情報処理装置に対して、前記データ識別情報による前記指示したデータの読み出し命令を送信するよう制御する
請求項６に記載の情報処理装置。
【請求項８】
前記通信部は、電波を用いた第１の通信方式に対応しており、
前記制御部は、前記他の情報処理装置に前記記憶命令を送信する前に、該第１の通信方式により前記他の情報処理装置と相互認証を行う
請求項６又は７に記載の情報処理装置。
【請求項９】
前記通信部は、第１の情報処理装置としての前記他の情報処理装置との間で通信できる電波を用いた第１の通信方式に対応しており、
前記制御部は、
前記第１の情報処理装置に対して前記記憶命令を送信する前に前記第１の情報処理装置と前記第１の通信方式により相互認証を行い、
前記第１の通信方式により、前記第１の情報処理装置から前記データ識別情報を受信するよう制御する
請求項６乃至８のいずれかに記載の情報処理装置。
【請求項１０】
前記通信部は、第１の情報処理装置としての前記他の情報処理装置との間、及び第２の情報処理装置との間で通信できる電波を用いた第１の通信方式に対応しており、
前記制御部は、
前記第１の情報処理装置に対して前記記憶命令を送信する前に前記第１の情報処理装置と前記第１の通信方式により相互認証を行い、
前記第１の通信方式により、前記第１の情報処理装置から前記データ識別情報を受信し、
前記第１の通信方式により、前記第２の情報処理装置と相互認証を行った後、前記第２の情報処理装置に対して前記データ識別情報を送信するよう制御する
請求項６乃至９のいずれかに記載の情報処理装置。
【請求項１１】
前記第１の通信方式を通じて生じる電力を抽出する電力抽出部をさらに備え、
前記抽出された電力により起動される
請求項８乃至１０のいずれかに記載の情報処理装置。
【請求項１２】
データを記憶できる記憶部と、
第１の情報処理装置と通信できる第１の通信方式と、第２の情報処理装置と通信できる第２の通信方式とに対応した通信部と、
前記記憶部と前記通信部とを制御できる制御部とを備え、
前記制御部は、
前記第２の情報処理装置に記憶されているデータを識別するデータ識別情報を、前記第１の通信方式により前記第１の情報処理装置から受信した場合に、前記第２の通信方式により前記第２の情報処理装置に対して該データ識別情報による該第２の情報処理装置に記憶されているデータの読み出し命令を送信するよう制御する
情報処理装置。
【請求項１３】
前記第１の通信方式は電波を用いた通信であり、前記第２の通信方式は前記第１の通信方式とは異なる通信方式であり、
前記制御部は、
前記データ識別情報を受信する前に前記第１の通信方式により前記第１の情報処理装置と相互認証を行い、
前記第２の情報処理装置に記憶されているデータの読み出し命令を送信した後で該読み出されたデータを前記第２の情報処理装置から前記第２の通信方式により受信するよう制御する
請求項１２に記載の情報処理装置。
【請求項１４】
前記第１の情報処理装置により指示された表示部上の位置を検出する検出部をさらに備え、
前記制御部は、前記受信した前記第２の情報処理装置が記憶していたデータを、前記検出部が検出した位置に表示するよう制御する
請求項１２又は１３に記載の情報処理装置。
【発明の詳細な説明】
【技術分野】
【０００１】
本発明は、情報処理装置に関し、特に、画面に表示されているデータのコピーや移動などをより簡便に行うことができるようにする情報処理装置に関する。
【背景技術】
【０００２】
PDA(Personal Digital Assistant)や電子手帳などの小型の携帯端末装置（以下、小型携帯端末装置と称する）では、デスクトップPC(Personal Computer)のキーボードやマウスなどのような十分な操作性を備える入力手段を備えることがスペース的に難しい場合、入力手段の一つとしてタッチパネルとペンを設けることがある。
【０００３】
タッチペンを用いた装置において、例えば、データの送信などの各種の操作を簡単に指定できるような方法が提案されている（例えば、特許文献１及び２参照）。
【０００４】
ところで、小型携帯端末装置で起動させた所定のアプリケーション上で文章入力を行っているユーザが、タッチパネルとタッチペンを用いて、既に入力した文字のコピーペースト（処理の）操作を行う場合、次のような操作となる。
【０００５】
１．タッチペンで「コピーコマンド」を入力（指定）する。  ２．コピーしたい文字を選択する。これにより、選択された文字が小型携帯端末装置内のメモリに一時記憶される。  ３．タッチペンで「ペーストコマンド」を入力（指定）する。  ４．ペーストしたい場所にタッチペンで指定する。
【０００６】
以上のように、タッチパネルとタッチペンを用いた文字のコピーペースト操作では、大まかに４つの操作、換言すれば、４箇所のタッチペンの移動が必要となるため、操作数が多いことによる操作性の悪さから、操作を覚えられないというユーザや、簡単な文字であればコピーペースト操作を行わずに、再度同じ文字を入力してしまうユーザもいる。
【０００７】
デスクトップPCのように入力手段としてマウスが備えられている場合には、画面に表示されているキャレットとマウスのボタン操作（位置指定や右クリックによるコマンドメニュー選択など）との操作の組合せなどでコピーペースト操作を簡単に行う方法が採用されたりしているが、タッチパネルとペンを用いた操作は、基本的には、ペンでタッチパネルをタッチ（接触）するか、タッチパネルをタッチした位置を移動させるかの２種類の操作に制限されるため、従来では、コピーペースト操作を、小型携帯端末装置の他のボタンとの組合せやペンによるコマンド入力などで行うようにしていた。
【０００８】
【特許文献１】特開平１１−４５１４９号公報
【特許文献２】特開平１１−５３２３６号公報
【発明の開示】
【発明が解決しようとする課題】
【０００９】
しかしながら、装置の他のボタンとの組合せやペンによるコマンド入力などによる操作は、直感的な操作とは言えず、操作が分かりづらいものとなっていた。
【００１０】
本発明は、このような状況に鑑みてなされたものであり、画面に表示されているデータのコピーや移動などをより簡便に行うことができるようにするものである。
【課題を解決するための手段】
【００１１】
本発明の第１の情報処理装置は、データを表示できる表示部と、データを記憶できる記憶部と、他の情報処理装置と通信できる通信部と、前記記憶部と前記通信部とを制御できる制御部とを備え、前記制御部は、前記通信部を介して前記他の情報処理装置から前記表示部に表示されているデータのうち指示されたデータの記憶命令を受信した場合に該指示されたデータを前記記憶部に記憶し、前記通信部を介して前記記憶部に記憶されている該指示されたデータを識別するデータ識別情報を前記他の情報処理装置に送信し、前記通信部を介して前記他の情報処理装置から該データ識別情報による該指示されたデータの読み出し命令を受信した場合に前記記憶部から該指示されたデータを読み出すよう制御する。
【００１２】
前記他の情報処理装置により指示された前記表示部上の位置を検出する検出部をさらに備え、前記制御部には、前記記憶部から読み出した前記指示されたデータを、前記検出部が検出した位置に表示するよう制御させることができる。
【００１３】
前記通信部は、電波を用いた第１の通信方式に対応しており、前記制御部には、前記他の情報処理装置から前記記憶命令を受信する前に、該第１の通信方式により前記他の情報処理装置と相互認証を行うようにさせることができる。
【００１４】
前記通信部は、第１の情報処理装置としての前記他の情報処理装置との間で通信できる電波を用いた第１の通信方式と、第２の情報処理装置との間で通信できる該第１の通信方式とは異なる第２の通信方式とに対応しており、前記制御部には、前記第１の情報処理装置から前記記憶命令を受信する前に前記第１の情報処理装置と前記第１の通信方式により相互認証を行い、前記第１の通信方式により、前記第１の情報処理装置に前記データ識別情報を送信し、前記第２の通信方式により、前記第２の情報処理装置に前記記憶部から読み出した前記指示されたデータを送信するよう制御させることができる。
【００１５】
前記制御部には、前記データ識別情報による前記指示されたデータの読み出し命令を、前記第２の通信方式により前記第２の情報処理装置から受信した場合に、前記記憶部から読み出した前記指示されたデータを前記第２の情報処理装置へ送信するよう制御させることができる。
【００１６】
本発明の第１の情報処理装置においては、通信部を介して他の情報処理装置から表示部に表示されているデータのうち指示されたデータの記憶命令を受信した場合に該指示されたデータを記憶部に記憶し、通信部を介して記憶部に記憶されている該指示されたデータを識別するデータ識別情報を他の情報処理装置に送信し、通信部を介して他の情報処理装置から該データ識別情報に対応する該指示されたデータの読み出し命令を受信した場合に記憶部から該指示されたデータを読み出すよう制御される。
【００１７】
本発明の第２の情報処理装置は、データを記憶できる記憶部と、他の情報処理装置と通信できる通信部と、前記記憶部と前記通信部とを制御できる制御部とを備え、前記制御部は、前記通信部を介して前記他の情報処理装置の表示部に表示されているデータのうち指示したデータの記憶を指示する記憶命令を送信し、前記通信部を介して前記他の情報処理装置の記憶部に記憶されている該指示したデータを識別するデータ識別情報を受信した場合に該データ識別情報を前記記憶部に記憶するよう制御する。
【００１８】
前記制御部には、前記他の情報処理装置の表示部上の所望の位置に前記指示したデータを表示させるために、前記他の情報処理装置に対して、前記データ識別情報による前記指示したデータの読み出し命令を送信するよう制御させることができる。
【００１９】
前記通信部は、電波を用いた第１の通信方式に対応しており、前記制御部には、前記他の情報処理装置に前記記憶命令を送信する前に、該第１の通信方式により前記他の情報処理装置と相互認証を行うようにさせることができる。
【００２０】
前記通信部は、第１の情報処理装置としての前記他の情報処理装置との間で通信できる電波を用いた第１の通信方式に対応しており、前記制御部には、前記第１の情報処理装置に対して前記記憶命令を送信する前に前記第１の情報処理装置と前記第１の通信方式により相互認証を行い、前記第１の通信方式により、前記第１の情報処理装置から前記データ識別情報を受信するよう制御させることができる。
【００２１】
前記通信部は、第１の情報処理装置としての前記他の情報処理装置との間、及び第２の情報処理装置との間で通信できる電波を用いた第１の通信方式に対応しており、前記制御部には、前記第１の情報処理装置に対して前記記憶命令を送信する前に前記第１の情報処理装置と前記第１の通信方式により相互認証を行い、前記第１の通信方式により、前記第１の情報処理装置から前記データ識別情報を受信し、前記第１の通信方式により、前記第２の情報処理装置と相互認証を行った後、前記第２の情報処理装置に対して前記データ識別情報を送信するよう制御させることができる。
【００２２】
前記第１の通信方式を通じて生じる電力を抽出する電力抽出部をさらに備え、前記抽出された電力により起動されるようにすることができる。
【００２３】
本発明の第２の情報処理装置においては、通信部を介して他の情報処理装置の表示部に表示されているデータのうち指示したデータの記憶を指示する記憶命令が送信され、通信部を介して他の情報処理装置の記憶部に記憶されている該指示したデータを識別するデータ識別情報を受信した場合に該データ識別情報が記憶部に記憶するよう制御される。
【００２４】
本発明の第３の情報処理装置は、データを記憶できる記憶部と、第１の情報処理装置と通信できる第１の通信方式と、第２の情報処理装置と通信できる第２の通信方式とに対応した通信部と、前記記憶部と前記通信部とを制御できる制御部とを備え、前記制御部は、前記第２の情報処理装置に記憶されているデータを識別するデータ識別情報を、前記第１の通信方式により前記第１の情報処理装置から受信した場合に、前記第２の通信方式により前記第２の情報処理装置に対して該データ識別情報による該第２の情報処理装置に記憶されているデータの読み出し命令を送信するよう制御する。
【００２５】
前記第１の通信方式は電波を用いた通信であり、前記第２の通信方式は前記第１の通信方式とは異なる通信方式であり、前記制御部には、前記データ識別情報を受信する前に前記第１の通信方式により前記第１の情報処理装置と相互認証を行い、前記第２の情報処理装置に記憶されているデータの読み出し命令を送信した後で該読み出されたデータを前記第２の情報処理装置から前記第２の通信方式により受信するよう制御させることができる。
【００２６】
前記第１の情報処理装置により指示された表示部上の位置を検出する検出部をさらに備え、前記制御部には、前記受信した前記第２の情報処理装置が記憶していたデータを、前記検出部が検出した位置に表示するよう制御させることができる。
【００２７】
本発明の第３の情報処理装置においては、第２の情報処理装置に記憶されているデータを識別するデータ識別情報が、第１の通信方式により第１の情報処理装置から受信された場合に、第２の通信方式により第２の情報処理装置に対して該データ識別情報に対応する該第２の情報処理装置に記憶されているデータの読み出し命令を送信するよう制御される。
【発明の効果】
【００２８】
本発明によれば、画面に表示されているデータのコピーや移動などをより簡便に行うことができる。
【発明を実施するための最良の形態】
【００２９】
以下、図を参照して、本発明の実施の形態について説明する。
【００３０】
図１は、本発明を適用した表示システムの一実施の形態の構成例を示している。
【００３１】
図１の表示システム１は、端末装置１１とペン１２により構成されている。
【００３２】
端末装置１１は、内部に記憶されているアプリケーション（プログラム）により、所定のデータ処理を行うことが可能な小型の（携帯型の）装置である。端末装置１１は、アンテナ２１とタッチパネル式ディスプレイ２２を少なくとも有している。
【００３３】
端末装置１１は、アプリケーションを起動し、起動されたアプリケーションで処理したデータをタッチパネル式ディスプレイ２２に表示させる。ここで、例えば、アプリケーションが文書作成ソフトである場合、タッチパネル式ディスプレイ２２には、ロードされた文書ファイルに対応する文字（文章）が表示される。
【００３４】
また、端末装置１１は、NFC通信機能を有しており、タッチパネル式ディスプレイ２２の周辺に埋め込まれたアンテナ２１を介して、NFC通信機能を同様に有するペン（NFCペン）１２と、単一の周波数の搬送波を使用した電磁誘導による近接通信（NFC(Near Field Communication)）を行うことができるようになっている。
【００３５】
ここで、端末装置１１およびペン１２が使用する搬送波の周波数としては、例えば、ISM(Industrial Scientific Medical)バンドの13.56MHzなどを採用することができる。
【００３６】
また、近接通信とは、通信する装置どうしの距離が、数10cm以内（以下、近接距離と称する）となって可能となる通信を意味し、通信する装置どうし（の筐体）が接触して行う通信も含まれる。
【００３７】
ペン１２は、ペン形状のポインティングデバイスであり、ユーザがタッチパネル式ディスプレイ２２上の所定の位置を指示するのに使用される。ペン１２には、スイッチ３１が設けられており、ユーザによりスイッチ３１がオンまたはオフされた場合に、ペン１２は、オン情報またはオフ情報を近接通信により端末装置１１に送信する。また、ペン１２は、送信したオンまたはオフ情報に応じて端末装置１１から送信されてくるデータを受信し、内部に記憶する。
【００３８】
図２は、端末装置１１のハードウエア構成例を示すブロック図である。
【００３９】
CPU(Central Processing Unit)５１は、ROM(Read Only Memory)５２に記憶されているプログラム、または、記憶部５７からRAM(Random Access Memory)５３にロードされたプログラムに従って各種の処理を実行する。例えば、CPU５１は、タッチパネル式ディスプレイ２２に表示させるデータの制御を行う。RAM５３にはまた、CPU５１が各種の処理を実行する上において必要なデータなどが適宜記憶される。
【００４０】
CPU５１、ROM５２、およびRAM５３は、バス５４を介して相互に接続されている。このバス５４にはまた、入出力インタフェース５５も接続されている。
【００４１】
入出力インタフェース５５には、タッチパネル式ディスプレイ２２、キーボード、操作ボタンなどよりなる入力部５６、ハードディスクなどより構成される記憶部５７、NFC通信処理を行うNFC通信部５８、および、IEEE（Institute of Electrical and Electronic Engineers）1394、IEEE802.11a，IEEE802.11b、IEEE802.11g、またはBluetooth（登録商標）などの規格に基づき、NFC通信部５８が通信を行う範囲より広域な範囲で有線または無線により通信処理を行う通信部５９が接続されている。
【００４２】
タッチパネル式ディスプレイ２２は、LCD(Liquid Crystal Display)などよりなる表示部７１にタッチパネル７２が重畳して構成されている。
【００４３】
表示部７１の表示エリアにはアドレスが割り付けられており、CPU５１が表示部７１に所定のデータ（文字や画像、アイコンなど）を表示させる場合、CPU５１は、そのアドレスを指定してデータを供給する。タッチパネル７２は、表示部７１の表示エリアに割り付けられているのと同一のアドレスで、ペン１２によって接触された位置を検出し、入出力インタフェース５５を介してCPU５１に供給する。
【００４４】
これにより、CPU５１は、表示部７１に表示されたデータのうちのどのデータがペン１２によって指示（選択）されたかを認識することができる。
【００４５】
NFC通信部５８は、電波（電磁波）を放射し、例えば、ポーリングなどの処理を行うことによって、近接距離内にあるペン１２を検出する。NFC通信部５８は、CPU５１の制御の下、チャレンジ・レスポンス方式などにより、所定のデータ（チャレンジワード）を交換し、ペン１２を認証する（端末装置１１とペン１２が相互認証を行う）。
【００４６】
NFC通信部５８は、上述したオン情報またはオフ情報をペン１２から受信し、CPU５１に供給する。
【００４７】
ユーザがペン１２のスイッチ３１をオンした場合、CPU５１は、NFC通信部５８を介してオン情報をペン１２から受信する。また、タッチパネル７２（表示部７１）上の所定の位置Ａ（以下、接触位置Ａと称する）にペン１２が接触（タッチ）している場合、CPU５１には、タッチパネル７２から接触位置Ａのアドレスが供給される。
【００４８】
そして、CPU５１は、オン情報を受信した時に表示部７１の接触位置Ａに表示させていたデータをRAM５３に記憶させる。換言すれば、表示部７１に表示されているデータのうちの、ユーザがペン１２で指示したデータ（指示データ）がRAM５３に記憶される。
【００４９】
また、CPU５１は、RAM５３に記憶させた指示データを識別するメモリID（データ識別情報）を、NFC通信部５８を介してペン１２に送信する。ここで、メモリIDは、例えば、指示データが記憶されているアドレス情報である。
【００５０】
さらに、ユーザが、タッチパネル７２上の所定の位置Ｂ（以下、接触位置Ｂと称する）にペン１２を接触（タッチ）させて、オンしていたペン１２のスイッチ３１をオフした場合には、CPU５１は、ペン１２が保存している情報を要求する保存情報要求（データ情報の要求）を、NFC通信部５８を介してペン１２に送信する。ここで、ペン１２が保存している情報とは、CPU５１がオン情報を受信したときにペン１２に送信したメモリIDである。
【００５１】
保存情報要求に応じてメモリIDがペン１２から送信されてくると、CPU５１は、そのメモリIDに基づいて、RAM５３に記憶させた指示データを読み出し、スイッチ３１がオフされたときにペン１２が接触していたタッチパネル７２上の位置（即ち、接触位置Ｂのアドレス）を指定して、表示部７１に供給する。これにより、表示部７１の接触位置Ａに表示されていたデータ（指示データ）が、接触位置Ｂにも表示される。つまり、接触位置Ａに表示されていて、ユーザにペン１２で指示されたデータ（指示データ）が、表示部７１の接触位置Ｂにコピーされる。
【００５２】
なお、CPU５１は、ペン１２に送信するメモリIDなどのデータを所定の暗号方式で暗号化するとともに、暗号化されてペン１２から送信されてくるオン情報またはオフ情報などのデータを所定の暗号方式で復号する。ここで、暗号方式は、例えば、DES（Data Encryption Standard）方式、３DES（Triple DES）方式、AES（Advanced Encryption Standard）方式などが採用される。
【００５３】
入出力インタフェース５５には、必要に応じてドライブ６０が接続される。ドライブ６０には、磁気ディスク、光ディスク、光磁気ディスク、或いは半導体メモリなどよりなるリムーバブルメディア６１が適宜装着され、それから読み出されたコンピュータプログラムが必要に応じて記憶部５７にインストールされる。
【００５４】
図３は、図２のNFC通信部５８の詳細な構成例を示すブロック図である。
【００５５】
NFC通信部５８は、アンテナ２１、マンチェスタ符号化部８１、ASK（Amplitude Shift Keying）変調部８２、および発振回路８３により構成されている。また、マンチェスタ符号化部８１は、符号化部９１および復号部９２で構成され、ASK変調部８２は、変調部９３および復調部９４で構成されている。
【００５６】
符号化部９１は、入出力インタフェース５５を介してCPU５１から供給されるデータ（例えば、メモリIDなど）をマンチェスタ方式により符号化し、その結果得られるマンチェスタ符号化信号を変調部８２に供給する。復号部９２は、復調部９４から供給されるマンチェスタ符号化信号を復号し、その結果得られるデータ（例えば、オン情報またはオフ情報など）をCPU５１に供給する。なお、符号化部９１および復号部９２がCPU５１とやりとりするデータは、上述したように所定の暗号方式で暗号化された状態のデータである。
【００５７】
発振回路８３は、搬送波となる所定の周波数（例えば、13.56MHz）のクロック信号を生成し、変調部９３に供給する。
【００５８】
変調部９３は、発振回路８３からのクロック信号に基づいて搬送波を生成し、その搬送波をASK変調し、アンテナ２１を介してペン１２にデータを送信する。復調部９４は、ペン１２によって負荷変調されたASK変調波を、アンテナ２１を介して受信し、復調して得られるデータのマンチェスタ符号化信号を復号部９２に供給する。
【００５９】
アンテナ（アンテナコイル）２１は、送受信されるデータとなる電波（電磁波）を輻射（放射）する。
【００６０】
図４は、ペン１２の詳細な構成例を示すブロック図である。
【００６１】
ペン１２は、スイッチ３１、通信部１０１、電力抽出部１０２、CPU１０３、および記憶部１０４により構成されている。また、通信部１０１は、アンテナ１１１、ASK変調部１１２、マンチェスタ符号化部１１３、および発振回路１１４により構成されている。
【００６２】
ユーザは、ペン１２をタッチパネル７２に接触させて、表示部７１に表示されているデータのうちのコピーを所望するデータを指示し、スイッチ３１をオンする（この位置が接触位置Ａとなる）。そして、ユーザは、タッチパネル７２（表示部７１）上のペーストする位置にペン１２を移動させ、スイッチ３１をオフする（この位置が接触位置Ｂとなる）。
【００６３】
換言すれば、ユーザは、スイッチ３１がオンされてからオフされるまでの間、スイッチ３１を押し続ける動作を行う。この動作は、ユーザがコピーを所望するデータの位置で、そのデータを掴み（摘まみ）、ペーストする位置に掴んだデータを放すような、実際の物体を移動するときの動作の感覚と一致する。
【００６４】
スイッチ３１は、ユーザの操作を受け付ける。即ち、スイッチ３１は、ユーザがスイッチ３１を押下した場合にオンの操作信号をCPU１０３に供給し、ユーザが押下したスイッチ３１を元に戻す操作を行った場合にオフの操作信号をCPU１０３に供給する。
【００６５】
通信部１０１は、端末装置１１１との間で、メモリIDや、ユーザが行ったスイッチ３１のオンの操作を表すオン情報またはオフの操作を表すオフ情報（操作情報）などのデータの通信を行う。
【００６６】
ASK変復調部１１２は、復調部１２１と変調部１２２とから構成されている。復調部１２１は、端末装置１１１から発せられるASK変調波（電波）を、アンテナ１１１を介して受信し、復調して得られるマンチェスタ符号化信号を復号部１２３に供給する。変調部１２２は、符号化部１２４からのマンチェスタ符号化信号に応じて、アンテナ１１１と並列に接続された負荷（図示せず）を変動させることにより、端末装置１１１から出力されている振幅が一定の変調波をASK変調させて、端末装置１１１にデータを送信する。
【００６７】
マンチェスタ符号化部１１３は、復号部１２３と符号化部１２４とから構成されている。復号部１２３は、復調部１２１から供給されるマンチェスタ符号化信号を復号し、その結果得られるデータをCPU１０３に供給する。符号化部１２４は、CPU１０３からのデータをマンチェスタ方式により符号化し、その結果得られるマンチェスタ符号化信号を変調部１２２に供給する。
【００６８】
電力抽出部１０２は、アンテナ１１１を介して端末装置１１１（のNFC通信部５８）から放射されてくる電波（ASK変調波）を受信し、その電波から生じる電力を抽出し、各ブロックに供給する。これにより、ペン１２が起動する。従って、端末装置１１１から所定以上の電波が受信される限り、ユーザは半永久的にペン１２を使用することができる。なお、所定以上の電波とは、ペン１２が動作するのに必要な最低の電力を起動させるだけの電波である。
【００６９】
CPU１０３は、端末装置１１１に送受信するデータの処理を行う。例えば、CPU１０３は、通信部１０１で受信したメモリIDを記憶部１０４に記憶させる。また、CPU１０３は、スイッチ３１から供給されるオンまたはオフの操作信号に基づいて、オン情報またはオフ情報を通信部１０１に送信させる。
【００７０】
なお、上述したように、端末装置１１１との間で送受信されるデータは所定の暗号方式で暗号化されたデータであり、CPU１０３は、受信したデータを所定の暗号方式で復号したり、端末装置１１１に送信するデータを所定の暗号方式で暗号化したりする。
【００７１】
記憶部１０４は、フラッシュメモリ、EEPROM（Electrically Erasable Programmable Read Only Memory）、MRAM（Magnetoresistive Random Access Memory（磁気抵抗メモリ））、またはFeRAM（強誘電体メモリ）などの不揮発性メモリなどにより構成され、CPU１０３から供給されるデータを記憶する。ここで、記憶部１０４に記憶されるデータとしては、端末装置１１１から送信されてくるメモリIDなどがある。
【００７２】
次に、図５のフローチャートを参照して、端末装置１１の表示部７１に表示されているデータのなかから、所定のデータをペン１２で選択し、表示元（コピー元）の位置とは異なる位置（コピー先）にペーストする（貼り付ける）コピー処理について説明する。なお、図５のフローチャートは、端末装置１１の処理と、それに対応するペン１２の処理を分かりやすくするために、端末装置１１の処理と、それに対応するペン１２の処理を点線で対応付けている。
【００７３】
端末装置１１では、図５に示す処理が開始される時点で、所定のアプリケーションが起動し、表示部７１に所定のデータが表示されている状態であるとする。なお、以下では、例えば、文書作成ソフトのアプリケーションが起動し、表示部７１に文章（文字）が表示されている状態であり、コピーの対象データ（指示データ）が文字である例について説明する。
【００７４】
ユーザが、ペン１２を端末装置１１の近接距離内に移動すると、ステップＳ１において、ペン１２は、端末装置１１から送信されてくる電波から電力を抽出し、起動する。そして、ペン１２は、端末装置１１からのポーリングコマンドに応答し、その後、認証処理を行う。
【００７５】
ステップＳ３１において、端末装置１１は、ポーリングコマンドを送信し、それに応答してきたペン１２を検出する。そして、端末装置１１は、ペン１２と認証処理を行う。
【００７６】
即ち、端末装置１１とペン１２との間で、チャレンジ・レスポンス方式などを用いた相互認証（処理）が行われ、これにより、セキュアな通信が確立される。
【００７７】
ステップＳ２において、ユーザの操作によって、ペン１２は、タッチパネル７２上の所定の位置（この位置を接触位置Ａとする）に接触する。ステップＳ３２において、端末装置１１は、ペン１２のステップＳ２の処理に対応して、接触位置Ａのアドレス（タッチアドレスＡ）を検出する。
【００７８】
ステップＳ３において、ペン１２は、ユーザがスイッチ３１をオン（押下）したかどうかを判定し、スイッチ３１をオンしたと判定するまで待機する。そして、スイッチ３１がオン（押下）された場合、即ち、スイッチ３１からCPU１０３にオンの操作信号が供給された場合、ステップＳ４に進み、ペン１２は、オン情報を端末装置１１に送信する。
【００７９】
ステップＳ３３において、端末装置１１は、ペン１２からのオン情報を受信し、ステップＳ３４に進む。
【００８０】
ステップＳ３４において、端末装置１１は、表示部７１に表示させている文字であって、タッチアドレスＡにある文字（以下、コピー文字と称する）をRAM５３に記憶させる。そして、ステップＳ３５において、端末装置１１は、RAM５３に記憶させたコピー文字を識別するメモリIDをペン１２に送信する。
【００８１】
端末装置１１のステップＳ３５の処理に対応して、ペン１２は、ステップＳ５において、端末装置１１から送信されてくるメモリIDを受信し、ステップＳ６において、記憶部１０４に記憶させる（記憶部１０４はメモリIDを記憶する）。
【００８２】
その後、ユーザが操作することによって、ステップＳ７において、ペン１２は、タッチパネル７２上の所定の位置（この位置を接触位置Ｂとする）に接触する。これに対応して、ステップＳ３６において、端末装置１１は、接触位置Ｂのアドレス（タッチアドレスＢ）を検出し、RAM５３に記憶させる。
【００８３】
ステップＳ８において、ペン１２は、ユーザがスイッチ３１をオフしたか(押下したスイッチ３１を元に戻したか)どうかを判定し、スイッチ３１をオフしたと判定するまで待機する。そして、スイッチ３１がオフされた場合、即ち、スイッチ３１からCPU１０３にオフの操作信号が供給された場合、ステップＳ９に進み、ペン１２は、オフ情報を端末装置１１に送信する。
【００８４】
ステップＳ３７において、端末装置１１は、ペン１２からのオフ情報を受信し、ステップＳ３８において、ペン１２が保存している情報を要求する保存情報要求をペン１２に送信する。
【００８５】
ステップＳ１０において、ペン１２は、端末装置１１からの保存情報要求を受信し、ステップＳ１１において、ペン１２は、その保存情報要求に応じて、記憶部１０４に記憶させておいたメモリIDを端末装置１１に送信する。
【００８６】
ステップＳ３９において、端末装置１１は、ペン１２から送信されてくるメモリIDを受信し、ステップＳ４０において、受信したメモリIDに基づいて、RAM５３に記憶されているコピー文字を読み出し、表示部７１の接触位置Ｂに読み出したコピー文字を表示させる。即ち、CPU５１は、タッチアドレスＢを指定して、RAM５３から読み出したメモリIDに対応するコピー文字を表示部７１に供給して、コピー処理を終了する。
【００８７】
以上の処理によって、表示部７１のタッチアドレスＡの位置に表示されていたコピー文字が、タッチアドレスＢの位置にも表示される（コピーされる）。
【００８８】
次に、図６および図７のフローチャートを参照して、端末装置１１のコピー処理についてさらに説明する。上述した図５では、ユーザがペン１２で選択したコピー文字（に対応するアドレス）が１文字（１箇所）である場合のコピー処理について説明したが、図６および図７では、単語や文章などに相当する複数の文字をコピー文字として指定する場合のコピー処理について説明する。なお、図６および図７に対応するペン１２のコピー処理は、図５で説明した処理と同様であるので、その説明を省略する。
【００８９】
初めに、ステップＳ５０において、端末装置１１は、ポーリングコマンドを送信し、それに応答してきたペン１２を検出する。そして、ステップＳ５０において、端末装置１１は、ペン１２の認証処理を行う。
【００９０】
ステップＳ５１において、端末装置１１のタッチパネル７２は、ペン１２が自分に接触したかどうかを判定し、ペン１２が接触したと判定されるまで待機する。
【００９１】
ステップＳ５１で、ペン１２がタッチパネル７２に接触したと判定された場合、ステップＳ５２に進み、タッチパネル７２は、ペン１２が接触している接触位置Ａのアドレス（開始アドレス）を検出し、CPU５１に供給する。また、ステップＳ５２において、CPU５１は、タッチパネル７２から供給された接触位置Ａの開始アドレスをRAM５３に記憶させる。
【００９２】
ステップＳ５３において、タッチパネル７２は、ペン１２が移動したか否かを判定し、ペン１２が移動していないと判定された場合、ステップＳ５４をスキップしてステップＳ５５に進む。
【００９３】
一方、ステップＳ５３で、ペン１２が移動したと判定された場合、即ち、タッチパネル７２が、ペン１２が接触しているタッチパネル７２上のアドレスであって、接触位置Ａの開始アドレスと異なるアドレスを検出した場合、ステップＳ５４において、タッチパネル７２は、アドレスを更新する。即ち、ステップＳ５４において、タッチパネル７２は、接触位置Ａの開始アドレスと異なるアドレスをCPU５１に供給して、ステップＳ５５に進む。
【００９４】
ステップＳ５５において、CPU５１は、NFC通信部５８を介して、ペン１２からオン情報を受信したか否かを判定し、オン情報を受信していないと判定した場合、処理をステップＳ５３に戻す。そして、ステップＳ５３乃至Ｓ５５の処理が繰り返されることにより、端末装置１１がペン１２からオン情報を受信するまでの間、ペン１２で接触されているタッチパネル７２上の位置（アドレス）が更新され続ける。
【００９５】
そして、ステップＳ５５で、オン情報を受信したと判定された場合、ステップＳ５６に進み、CPU５１は、タッチパネル７２から供給されたアドレスを接触位置Ａの終了アドレスとして、ユーザによりペン１２で選択された表示部７１上の選択範囲（接触位置Ａの開始アドレスから終了アドレスまでの範囲）を計算する。そして、CPU５１は、表示部７１の選択範囲に表示させているコピー文字をRAM５３に記憶させる。
【００９６】
ステップＳ５７において、CPU５１は、RAM５３に記憶させたコピー文字を識別するメモリIDを、NFC通信部５８を介してペン１２に送信する（NFC通信部５８に送信させる）。
【００９７】
その後、ステップＳ５８において、端末装置１１のタッチパネル７２は、ペン１２が再び自分に接触したかどうかを判定し、ペン１２が接触したと判定されるまで待機する。即ち、端末装置１１は、コピー先となるタッチパネル７２上の位置（接触位置Ｂ）がペン１２で指定されるまで待機する。
【００９８】
ステップＳ５８で、ペン１２がタッチパネル７２に接触したと判定された場合、ステップＳ５９に進み、タッチパネル７２は、ペン１２が接触している接触位置Ｂのアドレスを検出し、CPU５１に供給する。
【００９９】
そして、ステップＳ６０において、CPU５１は、NFC通信部５８を介して、ペン１２からオフ情報を受信したか否かを判定し、オフ情報を受信していないと判定した場合、処理をステップＳ５９に戻す。そして、ステップＳ５９およびＳ６０の処理が繰り返されることにより、端末装置１１がオフ情報を受信するまでの間、タッチパネル７２からCPU５１に供給される、ペン１２で接触されているタッチパネル７２上の位置（アドレス）が更新され続ける。
【０１００】
一方、ステップＳ６０でオフ情報を受信したと判定された場合、ステップＳ６１に進み、CPU５１は、タッチパネル７２から供給された接触位置ＢのアドレスをRAM５３に記憶させて、ステップＳ６２に進む。
【０１０１】
ステップＳ６２において、CPU５１は、ペン１２が保存している情報を要求する保存情報要求をペン１２に送信する。
【０１０２】
ペン１２が端末装置１１からの保存情報要求に応じて、メモリIDを送信すると、ステップＳ６３において、端末装置１１のCPU５１は、NFC通信部５８を介して、ペン１２から送信されてきたメモリIDを受信し、ステップＳ６４に進む。
【０１０３】
ステップＳ６４において、CPU５１は、受信したメモリIDに基づいて、RAM５３に記憶されているコピー文字を読み出し、表示部７１の接触位置Ｂに読み出したコピー文字を表示させる。即ち、CPU５１は、タッチアドレスＢを指定して、RAM５３から読み出したメモリIDに対応するコピー文字を表示部７１に供給して、コピー処理を終了する。
【０１０４】
以上のように、従来のタッチパネルとペンを用いたコピー処理（コピーペースト動作）では、ユーザは、コピーコマンドの指定、コピー元（コピー文字）の選択（指定）、ペーストコマンドの指定、コピー先（ペースト位置）の指定の４つの動作（タッチパネル上の４箇所の指定）が必要であったが、表示システム１のコピー処理によれば、ペン１２のスイッチ３１と連携して、コピー元の指定、コピー先の指定の２つの動作（タッチパネル７２上の２箇所の指定）で済むようになる。
【０１０５】
さらに、ユーザが行うスイッチ３１の操作は、移動するオブジェクト（現実の物体）を現在ある位置（コピー元の位置）で掴んで（保持したまま）移動し、移動先の位置（ペースト位置）で放す動作と同様なため、ユーザにとって直感的に理解しやすい操作性となっている。即ち、表示部７１（画面）に表示されているデータのコピーをより簡便に行うことができる。
【０１０６】
また、端末装置１１とペン１２とは相互認証され、端末装置１１とペン１２との間でやりとりされるデータは、所定の暗号化方式で暗号化されたデータであるため、盗聴や改ざんが不可能な通信（セキュアな通信）が可能である。
【０１０７】
このコピー処理による方法を用いて、例えば、スケジュール表を表示するアプリケーションなどでは、表示エリアの一部分（文字一覧エリアと称する）に、出張、会議、休み、または、来客などの、いつも使用する文字を常に表示させておくようにして、ユーザが、スイッチ３１を押下して（オンして）文字一覧エリアに表示されているコピー文字をペン１２でタッチし、入力したい日時のエリアにペン１２でタッチしてスイッチ３１を元に戻す（オフする）という操作が可能となる。即ち、手書き入力やキーボード入力の作業が少なくて済み、より簡単な（タッチパネル７２をタッチする回数の少ない）入力が可能となる。
【０１０８】
なお、上述した例では、コピー文字が指定された場合、CPU５１は、そのコピー文字をRAM５３に記憶させておき、コピー文字を識別する情報であるメモリIDをペン１２に送信するようにしたが、勿論、コピー文字そのものをペン１２に送信するようにしてもよい。
【０１０９】
また、上述した例では、コピー文字（ペン１２で選択された文字）のコピー元とコピー先の両方が、１つの端末装置１１の表示部７１の表示エリア内にある例について説明したが、コピー元とコピー先の位置を異なる端末装置の表示部とすることも可能である。図８を参照して、そのような場合の実施の形態について説明する。
【０１１０】
即ち、図８は、本発明を適用した表示システムのその他の実施の形態の構成例を示している。なお、図１における場合と対応する部分については、同一の符号を付してあり、その説明を適宜省略する。
【０１１１】
図８の表示システム２０１は、端末装置１１、ペン１２、および端末装置２１１により構成されている。
【０１１２】
端末装置２１１は、図２および図３で説明した端末装置１１と同様の構成を有する装置であり、その詳細な構成の説明を省略する。なお、以下において、端末装置２１１の詳細な構成の処理部を、図２および図３で説明した端末装置１１の処理部を引用して説明することとし、その場合、図２および図３に示した符号にダッシュ（’）をつけて説明する。例えば、端末装置２１１のCPUであれば、CPU５１’として説明する。
【０１１３】
また、端末装置１１と端末装置２１１は、通信部５９と通信部５９’により、近接距離より遠い距離の範囲で（広域で）通信を行うことができる。例えば、端末装置１１と端末装置２１１は、IEEE802.11a，IEEE802.11b、またはIEEE802.11g、Bluetooth（登録商標）などの規格に基づく無線通信（近接通信と区別して広域無線通信と称する）を行う。
【０１１４】
ペン１２が端末装置１１の近接距離内にある場合、例えば、ペン１２が図８において点線２２１Ａで示されている位置にある場合、ペン１２は、端末装置１１と近接通信を行うことができる。
【０１１５】
一方、ペン１２が端末装置２１１の近接距離内にある場合、例えば、ペン１２が図８において点線２２１Ｂで示されている位置にある場合、ペン１２は、端末装置２１１と近接通信を行うことができる。
【０１１６】
ユーザがタッチパネル式ディスプレイ２２に表示されている文字（データ）をペン１２でタッチしてスイッチ３１をオンすると、端末装置１１は、ペン１２で指定されたコピー文字（指示データ）を表すメモリID（データ識別情報）を、近接通信によりペン１２に送信する。
【０１１７】
そして、ユーザが、端末装置２１１のタッチパネル式ディスプレイ２２’の所定の位置にペン１２をタッチさせ、スイッチ３１をオフする（元に戻す）と、ペン１２は、端末装置１１から送信されて内部に記憶しておいたメモリIDを、近接通信により端末装置２１１に送信する。
【０１１８】
端末装置２１１は、ペン１２から送信されてくるメモリIDを、近接通信により受信する。そして、端末装置２１１は、受信したメモリIDを広域無線通信により端末装置１１に送信し、メモリIDに対応するコピー文字を受信して、タッチパネル式ディスプレイ２２’に表示させる。
【０１１９】
図９のフローチャートを参照して、図８の表示システム２０１におけるコピー処理について説明する。
【０１２０】
図９において、ペン１２のステップＳ１０１乃至Ｓ１０６の処理は、図５のステップＳ１乃至Ｓ６の処理とそれぞれ同様であるので、その説明を省略する。また、端末装置１１のステップＳ１３１乃至Ｓ１３５の処理は、図５のステップＳ３１乃至Ｓ３５の処理とそれぞれ同様であるので、その説明を省略する。
【０１２１】
ステップＳ１０６の処理により、コピー文字を識別するメモリIDがペン１２の記憶部１０４に記憶された後、ユーザによりペン１２が端末装置２１１の近接距離内に移動される。
【０１２２】
これにより、ステップＳ１０７において、ペン１２は、端末装置２１１から送信されてくる電波から電力を抽出し、起動する。また、ステップＳ１０７において、ペン１２は、端末装置２１１からのポーリングコマンドに応答し、その後、認証処理を行う。
【０１２３】
ステップＳ１５１において、端末装置２１１は、ポーリングコマンドを送信し、それに応答してきたペン１２を検出する。そして、端末装置２１１は、ペン１２と認証処理を行う。
【０１２４】
即ち、端末装置２１１とペン１２との間で、チャレンジ・レスポンス方式などを用いた相互認証（処理）が行われ、これにより、セキュアな通信が確立される。
【０１２５】
ユーザが操作することによって、ステップＳ１０８において、ペン１２は、タッチパネル７２’上の所定の位置（この位置を接触位置Ｂとする）に接触する。ステップＳ１５２において、端末装置２１１は、接触位置Ｂのアドレス（タッチアドレスＢ）を検出し、RAM５３’に記憶させる。
【０１２６】
ステップＳ１０９において、ペン１２は、ユーザがスイッチ３１をオフしたか(スイッチ３１を元に戻したか)どうかを判定し、スイッチ３１をオフしたと判定するまで待機する。そして、スイッチ３１がオフされた場合、即ち、スイッチ３１からCPU１０３にオフの操作信号が供給された場合、ステップＳ１１０に進み、ペン１２は、オフ情報を端末装置２１１に送信する。
【０１２７】
ステップＳ１５３において、端末装置２１１は、ペン１２からのオフ情報を受信し、ステップＳ１５４において、ペン１２が保存している情報を要求する保存情報要求をペン１２に送信する。
【０１２８】
ステップＳ１１１において、ペン１２は、端末装置２１１からの保存情報要求を受信し、ステップＳ１１２において、ペン１２は、その保存情報要求に応じて、記憶部１０４に記憶させておいたメモリIDを端末装置２１１に送信する。
【０１２９】
ステップＳ１５５において、端末装置２１１は、ペン１２から送信されてくるメモリIDを受信し、ステップＳ１５６において、その受信したメモリIDを、広域通信により端末装置１１に送信する。
【０１３０】
ステップＳ１３６において、端末装置１１は、広域通信により端末装置２１１から送信されてくるメモリIDを受信し、ステップＳ１３７に進み、受信したメモリIDに基づいて、RAM５３に記憶されているコピー文字を読み出し、端末装置２１１に送信する。
【０１３１】
ステップＳ１５７において、端末装置２１１は、広域通信により端末装置１１から送信されてくるコピー文字を受信し、その受信したコピー文字を、表示部７１の接触位置Ｂに表示させる。即ち、CPU５１は、タッチアドレスＢを指定して、受信したコピー文字を表示部７１に供給して、コピー処理を終了する。
【０１３２】
以上のように、図９のコピー処理によれば、異なる端末装置間においても、１つの端末装置１１の表示部７１に表示されている文字（コピー文字）をコピーする場合と同様の操作で文字をコピーすることが可能となる。即ち、表示部７１（画面）に表示されているデータのコピーをより簡便に行うことができる。
【０１３３】
また、異なる端末装置間でコピー処理を行う場合も、コピー文字を識別するメモリIDをペン１２に送信せずにコピー文字そのものをペン１２に送信するようにしてもよい。この場合、ペン１２を介して、コピー文字（指示データ）が移動することになり、端末装置１１と端末装置２１１との広域通信を省略することができる。
【０１３４】
上述した例では、表示部７１に表示されたデータをコピーする例について説明したが、同様の操作でデータの移動（接触位置Ａから接触位置Ｂへの移動）を行う処理とすることもできる。また、それ以外の処理に対応付けても良い。
【０１３５】
また、上述した例では、コピー（または移動）の対象データ（指示データ）が文字である例について説明したが、コピーの対象データは、画像やアイコン（マーク）などでも勿論よく、さらには、ディスプレイ上で文字や画像、アイコンなどで表されるファイル（画像や音声などのコンテンツのファイル）であってもよい。
【０１３６】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１３７】
また、本明細書において、システムとは、複数の装置により構成される装置全体を表すものである。
【図面の簡単な説明】
【０１３８】
【図１】本発明を適用した表示システムの一実施の形態の構成例を示す図である。
【図２】端末装置１１のハードウエア構成例を示すブロック図である。
【図３】NFC通信部５８の詳細な構成例を示すブロック図である。
【図４】ペン１２の詳細な構成例を示すブロック図である。
【図５】図１の表示システム１のコピー処理を説明するフローチャートである。
【図６】端末装置１１のコピー処理を説明するフローチャートである。
【図７】端末装置１１のコピー処理を説明するフローチャートである。
【図８】本発明を適用した表示システムのその他の実施の形態の構成例を示す図である。
【図９】図８の表示システム２０１のコピー処理を説明するフローチャートである。
【符号の説明】
【０１３９】
１  表示システム，  １１  端末装置，  １２  ペン，  ２１  アンテナ，  ２２  タッチパネル式ディスプレイ，  ３１  スイッチ，  ５１  CPU，  ５２  ROM，  ５３  RAM，  ５７  記憶部，  ５８  NFC通信部，  ５９  通信部，  ７１  表示部，  ７２  タッチパネル，  ６１  リムーバブルメディア，  １０１  通信部，  １０２  電力抽出部，  １０３  CPU，  １０４  記憶部，  ２０１  表示システム，  ２１１  端末装置
【図１】
2010191993.tif 000003
【図２】
2010191993.tif 000004
【図３】
2010191993.tif 000005
【図４】
2010191993.tif 000006
【図５】
2010191993.tif 000007
【図６】
2010191993.tif 000008
【図７】
2010191993.tif 000009
【図８】
2010191993.tif 000010
【図９】
2010191993.tif 000011